(57)【要約】【課題】ＵＳＢメモリ等の可搬性記憶媒体の取忘れを防止することができ、可搬性記憶媒体の装着時間を短縮できる画像形成装置及びその制御方法を提供する。【解決手段】画像形成装置１００は、可搬性記憶媒体１９０の着脱を検出し、装着された可搬性記憶媒体１９０から画像データを読出す可搬性記憶媒体ＩＦ部１１６と、画像データに基づく画像形成処理の条件の入力を受付ける操作部１１４と、可搬性記憶媒体１９０から読出された画像データ及び入力された条件にしたがって、画像形成処理を実行する画像形成処部１１２とを備え、操作部１１４は、可搬性記憶媒体１９０から画像データが読出され、且つ可搬性記憶媒体１９０が取外されたことが検出された後、画像形成処理の条件の入力を受付ける。これにより、可搬性記憶媒体の取忘れを確実に防止することができ、装着時間を必要最小限にすることができる。【選択図】図２
2014019150.tif 000002
【特許請求の範囲】
【請求項１】
可搬性記憶媒体が着脱される画像形成装置であって、
可搬性記憶媒体の着脱を検出する検出手段と、
装着された前記可搬性記憶媒体から画像データを読出す画像データ読出手段と、
前記画像データに基づく処理の実行条件の入力を受付ける入力手段と、
前記可搬性記憶媒体から読出された前記画像データ、及び、入力された前記実行条件にしたがって、前記処理を実行する処理手段とを備え、
前記入力手段は、前記画像データ読出手段により前記可搬性記憶媒体から前記画像データが読出され、且つ、前記検出手段により前記可搬性記憶媒体が取外されたことが検出されたことを受けて、前記実行条件の入力を受付けることを特徴とする画像形成装置。
【請求項２】
前記画像データに基づいて記録紙に画像を印刷する印刷手段をさらに備え、
前記処理は、前記印刷手段による印刷を含み、
前記実行条件は、前記印刷手段による印刷に関する条件を含むことを特徴とする請求項１に記載の画像形成装置。
【請求項３】
前記画像データは、前記可搬性記憶媒体にファイルとして記憶され、
前記可搬性記憶媒体が装着されると、当該可搬性記憶媒体に含まれる所定形式の各ファイルを特定するファイル特定情報を読出す情報読出手段と、
前記情報読出手段により読出された前記ファイル特定情報を表示する情報表示手段と、
前記情報表示手段により表示されたファイル特定情報の中から、所定のファイル特定情報の選択を受付ける選択手段とを備え、
前記画像データ読出手段は、前記選択手段により選択されたファイル特定情報により特定されるファイルを、前記画像データとして読出すことを特徴とする請求項１又は２に記載の画像形成装置。
【請求項４】
前記選択手段により選択されたファイル特定情報により特定されるファイルが、前記画像データ読出手段により読出され、且つ、前記検出手段により前記可搬性記憶媒体が取外されたことが検出されたことを受けて、前記画像データ読出手段により読出されたファイルを特定するファイル特定情報を、処理対象の候補ファイルを表す情報として表示する候補表示手段と、
前記候補表示手段により表示された情報の中から、所定の情報の選択を受付けて、処理対象のファイルを決定する決定手段とをさらに備え、
前記入力手段は、前記決定手段により処理対象のファイルが決定された後、前記実行条件の入力を受付けることを特徴とする請求項３に記載の画像形成装置。
【請求項５】
前記入力手段は、前記決定手段により処理対象のファイルが複数決定されたことを受けて、決定されたファイル毎に前記実行条件の入力を受付けるか、又は、決定された全ファイルに対して共通する前記実行条件の入力を受付けるかの指定を受付ける指定手段を含み、
前記入力手段は、前記指定手段により受付けた指定にしたがって、前記実行条件の入力を受付けることを特徴とする請求項４に記載の画像形成装置。
【請求項６】
可搬性記憶媒体が着脱される画像形成装置の制御方法であって、
可搬性記憶媒体の着脱を検出する検出ステップと、
装着された前記可搬性記憶媒体から画像データを読出す画像データ読出ステップと、
前記画像データに基づく処理の実行条件の入力を受付ける入力ステップと、
前記可搬性記憶媒体から読出された前記画像データ、及び、入力された前記実行条件にしたがって、前記処理を実行する処理ステップとを含み、
前記画像データ読出ステップにおいて前記可搬性記憶媒体から前記画像データが読出され、且つ、前記検出ステップにおいて前記可搬性記憶媒体が取外されたことが検出されたことを受けて、前記入力ステップにおいて前記実行条件の入力を受付けることを特徴とする制御方法。
【発明の詳細な説明】
【技術分野】
【０００１】
本発明は、可搬性記憶媒体からデータを読出して所定の処理を実行する画像形成装置に関し、特に、可搬性記憶媒体の取忘れを防止することができ、装着時間を短縮することができる画像形成装置及びその制御方法に関する。
【背景技術】
【０００２】
近年、コンビニエンスストア等の公共空間に画像形成装置（代表的にはコピー機）が設置され、有料でコピーサービスが提供されている。コピーサービス以外に、可搬性メモリ等に記録された画像データのプリントサービス等も提供されている。また、画像形成装置の１種である複合機（ＭＦＰ（ＭｕｌｔｉＦｕｎｃｔｉｏｎ  Ｐｅｒｉｐｈｅｒａｌ））が設置されている場合には、コピーサービス及びプリントサービス以外に、ファクシミリサービス及びネットワーク対応のプリントサービス等も提供されている。
【０００３】
ユーザは、印刷したいデータ（ＰＤＦファイル又は画像ファイル等）を記憶した可搬性メモリを画像形成装置に装着して、操作部を操作して、印刷を希望するファイルの指定、及び印刷条件（記録紙の種類、部数、白黒又はカラープリントの指定、及び両面印刷の有無等）の設定を行なった後、印刷スタートボタンを押す。これによって、画像形成装置は可搬性メモリから指定されたファイルを読込んで、記録紙への画像形成を実行する。画像形成された記録紙が排出されると、ユーザは排出された記録紙に注意が向いて、可搬性メモリを取忘れることがある。
【０００４】
この問題の対策として、下記特許文献１には、装着した外部メモリの取忘れを防止する機能を備えた画像形成装置が開示されている。この画像形成装置は、装着された外部メモリからデータを読込んだ後、外部メモリが抜かれたこと、及びスタートボタンが押されたことを検知した場合にのみ、印刷を開始する。外部メモリが抜かれずに、スタートボタンが押されても印刷が開始されないので、外部メモリの取忘れを防止することができる。
【先行技術文献】
【特許文献】
【０００５】
【特許文献１】特開２００６−１１０９４１号公報
【発明の概要】
【発明が解決しようとする課題】
【０００６】
特許文献１に記載された画像形成装置では、画像形成装置に装着される外部メモリ（可搬性メモリ）の取忘れを防止することはできるが、ユーザは、外部メモリを装着したままで印刷条件の設定を行なう必要があるので、外部メモリを取忘れるのではないかと、不要な不安を抱きながら操作を行なうことになり、操作ミスを生じることにもなる。操作ミスによって外部メモリのデータが書換えられる可能性もある。また、ＵＳＢメモリ等の、画像形成装置に装着された状態で、その一部が突出するメモリの場合、手等が接触して損傷してしまう可能性がある。
【０００７】
このような問題は、コンビニエンスストア等の公共空間に配置され、一般ユーザが使用する画像形成装置に限らず、企業内に設置された画像形成装置に関しても起こり得る。特に、機密性の高いデータを記憶した可搬性メモリ等を画像形成装置に装着した場合には、操作中、ユーザは大きな心理的ストレスを受けることになる。
【０００８】
したがって、本発明は、可搬性記憶媒体の取忘れを防止することができ、装着時間を短縮することができる画像形成装置及びその制御方法を提供することを目的とする。
【課題を解決するための手段】
【０００９】
本発明の第１の局面に係る画像形成装置は、可搬性記憶媒体が着脱される画像形成装置である。この画像形成装置は、可搬性記憶媒体の着脱を検出する検出部と、装着された可搬性記憶媒体から画像データを読出す画像データ読出部と、画像データに基づく処理の実行条件の入力を受付ける入力部と、可搬性記憶媒体から読出された画像データ、及び、入力された実行条件にしたがって、処理を実行する処理部とを備え、入力部は、画像データ読出部により可搬性記憶媒体から画像データが読出され、且つ、検出部により可搬性記憶媒体が取外されたことが検出されたことを受けて、実行条件の入力を受付ける。
【００１０】
好ましくは、画像形成装置は、画像データを、通信ネットワークを介して送信するネットワーク送信部をさらに備え、処理は、ネットワーク送信部による送信を含み、実行条件は、ネットワーク送信部によるネットワーク送信の相手装置を特定するためのアドレス情報を含む。
【００１１】
より好ましくは、画像データは、可搬性記憶媒体にファイルとして記憶され、画像形成装置は、可搬性記憶媒体が装着されると、当該可搬性記憶媒体に含まれる所定形式の各ファイルを特定するファイル特定情報を読出す情報読出部と、情報読出部により読出されたファイル特定情報を表示する情報表示部と、情報表示部により表示されたファイル特定情報の中から、所定のファイル特定情報の選択を受付ける選択部とを備え、画像データ読出部は、選択部により選択されたファイル特定情報により特定されるファイルを、画像データとして読出す。
【００１２】
さらに好ましくは、画像形成装置は、選択部により選択されたファイル特定情報により特定されるファイルが、画像データ読出部により読出され、且つ、検出部により可搬性記憶媒体が取外されたことが検出されたことを受けて、画像データ読出部により読出されたファイルを特定するファイル特定情報を、処理対象の候補ファイルを表す情報として表示する候補表示部と、候補表示部により表示された情報の中から、所定の情報の選択を受付けて、処理対象のファイルを決定する決定部とをさらに備え、入力部は、決定部により処理対象のファイルが決定された後、実行条件の入力を受付けることを特徴とする。
【００１３】
好ましくは、入力部は、決定部により処理対象のファイルが複数決定されたことを受けて、決定されたファイル毎に実行条件の入力を受付けるか、又は、決定された全ファイルに対して共通する実行条件の入力を受付けるかの指定を受付ける指定部を含み、入力部は、指定部により受付けた指定にしたがって、実行条件の入力を受付ける。
【００１４】
本発明の第２の局面に係る制御方法は、可搬性記憶媒体が着脱される画形成装置の制御方法である。この制御方法は、可搬性記憶媒体の着脱を検出する検出ステップと、装着された可搬性記憶媒体から画像データを読出す画像データ読出ステップと、画像データに基づく処理の実行条件の入力を受付ける入力ステップと、可搬性記憶媒体から読出された画像データ、及び、入力された実行条件にしたがって、処理を実行する処理ステップとを含み、画像データ読出ステップにおいて可搬性記憶媒体から画像データが読出され、且つ、検出ステップにおいて可搬性記憶媒体が取外されたことが検出されたことを受けて、入力ステップにおいて実行条件の入力を受付ける。
【発明の効果】
【００１５】
本発明によれば、ユーザが可搬性記憶媒体を画像形成装置から取忘れることを、確実に防止することができる。
【００１６】
また、可搬性記憶媒体が画像形成装置に装着される時間を必要最小限にすることができ、可搬性記憶媒体に記憶されたデータが書換えられる可能性、及び可搬性記憶媒体が損傷される可能性を低減することができる。
【００１７】
したがって、ユーザの心理的ストレスを抑制することができ、ユーザは安心して画像形成装置を操作することができる。近年普及している画像形成装置は高機能の機種が多く、不慣れなユーザは印刷条件の設定に長い時間を要するので、可搬性記憶媒体を取外した状態で、印刷条件の設定を行なうことができることにより、ユーザの心理的負担を軽減する効果は大きい。
【図面の簡単な説明】
【００１８】
【図１】本発明の実施の形態に係る画像形成装置を示す正面図である。
【図２】本発明の実施の形態に係る画像形成装置の内部構成を示すブロック図である。
【図３】本発明の実施の形態に係る画像形成装置の操作部を示す平面図である。
【図４】本発明の実施の形態に係る画像形成装置の可搬性記憶媒体ＩＦ部を示す正面図である。
【図５】本発明の実施の形態に係る画像形成装置において実行される、可搬性記憶媒体からデータを読出してプリントを実行するプログラムの制御構造を示すフローチャートである。
【図６】図５に示されたフローチャートにおけるプリント処理のプログラムの制御構造を示すフローチャートである。
【図７】図６に示されたフローチャートにおいて、画像形成の詳細条件を設定するためのキーがタッチされた場合に実行されるプログラムの制御構造を示すフローチャートである。
【図８】操作部に表示されるメディアの選択画面を示す図である。
【図９】操作部に表示されるメディアの装着を促す画面を示す図である。
【図１０】操作部に表示される、プリントするファイルの選択画面を示す図である。
【図１１】操作部に表示されるメディアの取出しを促す画面を示す図である。
【図１２】操作部に表示される印刷条件を設定するファイルの選択画面を示す図である。
【図１３】操作部に表示される記録紙の選択画面を示す図である。
【図１４】操作部に表示される画像形成条件の設定画面を示す図である。
【図１５】操作部に表示される印刷ページの設定画面を示す図である。
【図１６】操作部に表示されるページレイアウトの設定画面を示す図である。
【図１７】操作部に表示されるプリント指示の確認画面を示す図である。
【図１８】プリントが完了したときに操作部に表示される画面を示す図である。
【図１９】操作部に表示される、図１６と異なるページレイアウトの設定画面を示す図である。
【図２０】図１９の画面に対する操作を処理するプログラムの制御構造を示すフローチャートである。
【発明を実施するための形態】
【００１９】
以下の実施の形態では、同一の部品には同一の参照番号を付してある。それらの名称及び機能も同一である。したがって、それらについての詳細な説明は繰返さない。
【００２０】
図１を参照して、本発明の実施の形態に係る画像形成装置１００は、コピー機能、プリンタ機能、スキャナ機能、及びファクシミリ機能等の複数の機能を備えたデジタル複合機である。画像形成装置１００は、コンビニエンスストア等に設置され、操作部１１４を介してユーザの指示を受け、その指示に応じた処理（画像形成等）を実行し、コピーサービス、プリントサービス、ファクシミリサービス、及びスキャンサービス等を提供する。
【００２１】
図２を参照して、画像形成装置１００は、ＣＰＵ（Ｃｅｎｔｒａｌ  Ｐｒｏｃｅｓｓｉｎｇ  Ｕｎｉｔ）１０２、ＲＯＭ（Ｒｅａｄ  Ｏｎｌｙ  Ｍｅｍｏｒｙ）１０４、ＲＡＭ（Ｒａｎｄｏｍ  Ａｃｃｅｓｓ  Ｍｅｍｏｒｙ）１０６、ＨＤＤ（Ｈａｒｄ  Ｄｉｓｋ  Ｄｒｉｖｅ）１０８、原稿読取部１１０、画像形成部１１２、操作部１１４、可搬性記憶媒体ＩＦ部１１６、電話回線ＩＦ部１１８、及びネットワークＩＦ部１２０を備えている。さらに、画像形成装置１００は、これらが接続されるバス１２２を備えている。各部間のデータ（制御情報を含む）交換は、バス１２２を介して行なわれる。
【００２２】
ＲＯＭ１０４は、通電が遮断された場合にもデータを保持する不揮発性記憶装置である。ＲＯＭ１０４には、画像形成装置１００の動作を制御するのに必要なプログラム及びデータが記憶されている。ＲＡＭ１０６は揮発性の記憶装置である。ＨＤＤ１０８は、書換可能な不揮発性記憶装置であり、画像データ等を記憶する。ＣＰＵ１０２は、バス１２２を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像形成装置１００を構成する各部の制御を行ない、画像形成装置１００の各機能を実現する。
【００２３】
図３を参照して、操作部１１４は、タッチパネルディスプレイ１３０及び操作キー部１４０を備えている。タッチパネルディスプレイ１３０は、液晶パネル等で構成された表示パネルと、表示パネルの上に配置され、タッチされた位置を検出するタッチパネルとを含む。図３では、操作部１１４のタッチパネルディスプレイ１３０（表示パネル）には、画像形成装置１００の基本画面４００が表示されている。基本画面には、プリント、コピー等の各サービスを指示するためのキー４１０〜４１８が表示されている。
【００２４】
操作部１１４は、ユーザによる画像形成装置１００に対する指示等の入力を受付ける。ユーザは、タッチパネルディスプレイ１３０に表示される画面によって、画像形成装置１００の状態及びジョブの処理状況等の確認を行なう。タッチパネルディスプレイ１３０に表示されたキーを、表示パネルに重ねられたタッチパネル上で選択する（タッチパネル上の該当部分にタッチする）ことによって、画像形成装置１００の機能設定及び動作指示等ができる。
【００２５】
操作キー部１４０には、ハードウェアキーとして、ホームキー１４２、画像形成装置１００の電源をオン／オフするための電源キー１４４、及び、電源オンの場合に点灯するＬＥＤランプ１４６が配置されている。タッチパネルディスプレイ１３０に表示される画面は、画像形成装置１００の状態に応じて種々変化（画面遷移）する。ホームキー１４２は、タッチパネルディスプレイ１３０に表示されている画面を、基本画面４００に戻すためのキーである。即ち、ホームキー１４２が押されると、タッチパネルディスプレイ１３０に基本画面４００が表示される。
【００２６】
可搬性記憶媒体ＩＦ部１１６は、画像形成装置１００が可搬性記憶媒体１９０とアクセスするためのインターフェイスである。即ち、ＣＰＵ１０２は、可搬性記憶媒体ＩＦ部１１６を介して可搬性記憶媒体１９０からデータを読出し、又は、可搬性記憶媒体１９０にデータを書込む。可搬性の記憶媒体として、種々の記憶媒体（以下、メディアともいう）が知られている。可搬性記憶媒体１９０は、例えば、ＵＳＢメモリ、ＳＤカード（ミニＳＤカード及びマイクロＳＤカード等を含む）、メモリースティック、コンパクトフラッシュ（登録商標）、マイクロドライブ、ｘＤピクチャカード、ＣＤ−Ｒ、又はＤＶＤ等である。これらは、それぞれ規格が異なるので、可搬性記憶媒体ＩＦ部１１６には、可搬性記憶媒体ＩＦ部１１６が備えているインターフェイス（ハードウェア及びソフトウェア）に対応した可搬性記憶媒体のみが、正常に装着され得る。可搬性記憶媒体１９０は、例えば図４に示すように、各可搬性メモリを装着するためのスロットを備える可搬性メモリ装着部１５０と、ＣＤ−Ｒ及びＤＶＤ（以下、光ディスクという）等を搭載するための光ディスクトレイ１５２とを備えている。排出スイッチ１５４は、光ディスクトレイ１５２を排出させるためだけでなく、排出されている光ディスクトレイ１５２を収納するためにも使用される。
【００２７】
可搬性記憶媒体ＩＦ部１１６は、赤外線通信インターフェイス部１５６、及び無線通信インターフェイス部（Ｗｉ−Ｆｉ用インターフェイス等）（図示せず）を備えている。これにより、画像形成装置１００は、携帯電話及びスマートフォン等とデータ通信を行なうことを可能にする。
【００２８】
電話回線ＩＦ部１１８は、外部の電話回線１６０に接続され、画像形成装置１００が電話回線１６０を介して外部装置とＦＡＸ通信するためのインターフェイスであり、ＦＡＸモデムを備えている。ネットワークＩＦ部１２０は、外部の通信ネットワーク１６２（以下、単にネットワークという）に接続され、画像形成装置１００がネットワーク１６２を介して外部装置と通信するためのインターフェイスであり、ＮＩＣ（Ｎｅｔｗｏｒｋ  Ｉｎｔｅｒｆａｃｅ  Ｃａｒｄ）を備えている。
【００２９】
原稿読取部１１０は、画像を読取るためのＣＣＤ（Ｃｈａｒｇｅ  Ｃｏｕｐｌｅｄ  Ｄｅｖｉｃｅ：電荷結合素子）と、原稿台又は自動原稿送り装置（ＡＤＦ）等にセットされた原稿を検知する原稿検知センサとを備え、原稿を読取って画像データを生成する。画像データはＲＡＭ１０６に一時的に記憶され、必要に応じてＨＤＤ１０８にも記憶される。
【００３０】
画像形成部１１２は、読取った画像データに対して種々の画像処理が実行されて生成された画像データに基づいて、給紙部１２４（図１参照）から搬送された記録紙上への画像形成（以下、印刷又はプリントともいう）を行なう。画像が形成された記録紙は、排紙トレイ１２６に排出される。図１に示したように、給紙部１２４は、複数の給紙トレイを備えている。各給紙トレイには、例えばＢ５、Ａ４、Ｂ４、Ａ３の記録紙が収容されている。
【００３１】
画像形成装置１００が写真プリントサービスを提供する場合には、画像形成部１１２は、トナーにより記録紙上に画像を形成するレーザプリンタ以外に、写真プリント用の昇華型プリンタを備えている。給紙部１２４には、Ｌ判サイズ（８９×１２７ｍｍ）等の、一般に写真プリントに使用される記録紙（光沢紙等）も収容される。
【００３２】
以下、画像形成装置１００が搭載している機能（プリンタ機能、コピー機能、スキャナ機能、及びファクシミリ機能）によるサービスについて簡単に説明する。これらのサービスは、ユーザが基本画面４００に表示されたキー４１０〜４１８にタッチすることによって提供される。
【００３３】
（プリントサービス）
プリントサービスは、ユーザがプリントサービスキー４１２にタッチすることによって提供される。プリントサービスにおいては、画像形成装置１００のプリンタ機能によって、可搬性記憶媒体１９０から可搬性記憶媒体ＩＦ部１１６を介して読出した画像データ、又は、外部装置からネットワークＩＦ部１２０を介して受信した画像データに基づいて、画像形成部１１２により記録紙上に画像が形成される。
【００３４】
可搬性記憶媒体１９０から読出された画像データ、又はネットワークＩＦ部１２０を介して受信した画像データは、出力画像データとしてページ単位にＲＡＭ１０６に送られた後、ＨＤＤ１０８に記憶される。その後、ＨＤＤ１０８に記憶された画像データが適切なタイミングで順次読出されて、画像形成部１１２での画像形成のタイミングに合わせて、画像データは画像形成部１１２へと伝送される。
【００３５】
給紙部１２４では、記録紙がピックアップローラによって引き出され、複数の搬送用ローラによって、画像形成部１１２まで搬送される。画像形成部１１２では、帯電された感光体ドラムを入力された画像データに応じて露光することにより、感光体ドラムの表面に、画像データに応じた静電潜像を形成する。感光体ドラム上の静電潜像部分にトナーを付着させた後、トナーによる画像を、転写ベルトを介して、搬送された記録紙に転写させる。その後、記録紙は加熱及び加圧され（これにより記録紙に画像が定着する）、排紙トレイ１２６に排出される。
【００３６】
なお、プリントサービスには、上記したレーザプリンタによる画像形成に限らず、後述する昇華型プリンタを用いて画像形成するサービスが含まれてもよい。
【００３７】
（コピーサービス）
コピーサービスは、ユーザがコピーキー４１０にタッチすることによって提供される。コピーサービスにおいては、画像形成装置１００が複写機として利用される。この場合には、原稿読取部１１０によって読取られた原稿の画像データが、画像形成部１１２から複写物として出力される。
【００３８】
原稿読取部１１０に装備されたＣＣＤにより、読取位置にセットされた原稿の画像を電子的に読取ることができる。読取られた画像データは、ＲＡＭ１０６上に出力データ（印刷用データ）として完成された後、ＨＤＤ１０８に記憶される。原稿が複数ある場合には、この読取動作及び記憶動作が繰返される。その後、操作部１１４から指示された処理モードに基づいて、ＨＤＤ１０８に記憶された画像データが適切なタイミングで順次読出されて、上記したプリントサービスと同様に、画像形成部１１２へと伝送され、記録紙上への画像形成が行なわれる。
【００３９】
（ファクシミリサービス）
ファクシミリサービスは、ユーザがファクスキー４１４にタッチすることによって提供される。画像形成装置１００は、ＦＡＸモデム及び電話回線１６０を介して外部のファクシミリ装置とＦＡＸ送信することができる。
【００４０】
画像形成装置１００をファクシミリ装置として使用する場合、画像形成装置１００は、ＨＤＤ１０８から画像データを読出して、ＦＡＸ通信用のデータ形式に変換して、電話回線ＩＦ部１１８及び電話回線１６０を介して外部のファクシミリ装置に送信することができる。ＦＡＸ送信可能な画像データは、上記したように、可搬性記憶媒体１９０から読出されたデータ、又は、原稿読取部１１０によって原稿が読取られて生成された画像データである。
【００４１】
（スキャンサービス）
スキャンサービスは、ユーザがスキャンサービスキー４１６にタッチすることで提供される。画像形成装置１００を、例えばネットワークスキャナとして利用する場合には、原稿読取部１１０において読取られた原稿の画像データを、ネットワークＩＦ部１２０からネットワーク１６２を介してコンピュータ等の外部装置へ送信する。この場合にも、原稿読取部１１０に装備されたＣＣＤにより原稿を電子的に読取る。そして、読取られた原稿の画像データは、ＲＡＭ１０６上に出力データとして完成された後、ＨＤＤ１０８に記憶される。その後、画像データは、再びＨＤＤ１０８からＲＡＭ１０６に送られ、操作部１１４を介して指定された送信先との通信を確立した上で、電話回線ＩＦ部１１８から、指示された送信先へと送信される。
【００４２】
（写真サービス）
写真サービスは、写真印刷に適した昇華型プリンタを用いたコピー又はプリントサービスである。写真サービスは、ユーザが写真サービスキー４１８にタッチすることによって提供される。写真サービスには、上記した画像形成部１１２のレーザプリンタを用いたコピーサービス及びプリントサービスに対応するサービスとして、昇華型プリンタを用いた写真コピーサービス及び写真プリントサービスがある。ユーザは、これらの何れかを選択して実行することができる。写真サービスにおいては、写真プリントに適した記録紙（光沢紙等）が使用され、昇華型プリンタによって画像が形成される点以外は、上記したレーザプリンタを用いたコピーサービス及びプリントサービスと同様の処理が実行される。
【００４３】
なお、画像形成された記録紙の排出経路は、レーザプリンタと昇華型プリンタとで異なる経路であってもよい。また、昇華型プリンタによって写真プリントされた記録紙の排出先は、排紙トレイ１２６とは別のトレイであってもよい。
【００４４】
以下、図５〜図７を参照して、画像形成装置１００が、可搬性記憶媒体１９０からデータを読出してプリントを実行するプログラムの制御構成に関して具体的に説明する。画像形成装置１００は、操作部１１４の表示パネルに図１に示した基本画面４００を表示した状態で、ユーザの操作を待受けている状態であるとする。上記したように、プリントサービスには、ネットワークプリンタ機能によるプリントサービスもあるので、通常はプリントサービスキー４１２がタッチされた場合、ネットワークプリンタ又は可搬性記憶媒体のデータのプリントを選択する画面が表示される。しかし、ここでは、プリントサービスとは可搬性記憶媒体１９０からデータを読出してプリントするサービスであるとする。
【００４５】
ステップ３００において、ＣＰＵ１０２は、操作部１１４が操作されたか否かを判定する。操作部１１４に対する操作には、基本画面４００に表示されたソフトキー４１０〜４１６のタッチ、又は、操作キー部１４０のハードキーの押下がある。操作があったと判定された場合、制御はステップ３０２に移行する。そうでなければ、ステップ３００が繰返される。
【００４６】
ステップ３０２において、ＣＰＵ１０２は、プリントサービスキー４１２がタッチされたか否かを判定する。プリントサービスキー４１２がタッチされたと判定された場合、制御はステップ３０４に移行する。そうでなければ、制御はステップ３０８に移行する。
【００４７】
ステップ３０４において、ＣＰＵ１０２は、メディアの選択画面を表示して、操作を待受ける。例えば、図８に示す画面４２０が操作部１１４のタッチパネルディスプレイ１３０に表示される。画面４２０の領域４２２には、ＵＳＢメモリを選択するためのキー４３０等、各メディアを選択するためのキーが配置されている。ユーザは、これらのキーにタッチして、何れか１つを選択することができる。領域４２２に表示されているキーのうち、赤外線通信キー４２６及びスマートフォンキー４２８以外のキーが可搬性記憶媒体を選択するためのキーである。画面４２０の左上の領域には、ユーザに対するメッセージが表示されている。終了キー４２４がタッチされた場合、画面４２０は消去され、基本画面４００が表示される。
【００４８】
ステップ３０６において、ＣＰＵ１０２は、領域４２２に表示されたキーのうち、可搬性記憶媒体を選択するためのキーの何れかがタッチされたか否かを判定する。可搬性記憶媒体を選択するためのキーがタッチされたと判定された場合、制御はステップ３１０に移行する。そうでなければ（即ち、終了キー４２４、赤外線通信キー４２６又はスマートフォンキー４２８がタッチされた場合）、制御はステップ３０８に移行する。
【００４９】
ステップ３０８において、ＣＰＵ１０２は、検出された操作に対応する処理を実行する。その後、制御はステップ３００に戻る。このとき、タッチパネルディスプレイ１３０には、基本画面４００が表示される。例えば、赤外線通信キー４２６がタッチされた場合、赤外線通信によって、例えば携帯電話から画像データが画像形成装置１００に転送され、プリントに関する条件が設定された後、プリント処理が実行される。スマートフォンキー４２８がタッチされた場合、Ｗｉ−Ｆｉ通信によってスマートフォンから、画像データが画像形成装置１００に転送され、プリント処理が実行される。また、ステップ３００において、コピーキー４１０、ファクスキー４１４、スキャンサービスキー４１６、又は写真サービスキー４１８がタッチされた場合には、それぞれに対応する画面がタッチパネルディスプレイ１３０に表示され、ユーザによる条件設定の後、ユーザにより指定される処理が実行される。
【００５０】
ステップ３１０において、ＣＰＵ１０２は、ステップ３０６で選択されたメディア（可搬性記憶媒体）の装着を促す画面を表示する。ここでは、ステップ３０６で、ＵＳＢメモリキー４３０（図８参照）がタッチされたと判定されたとする。この場合、ＣＰＵ１０２は、図９に示す画面４４０を操作部１１４のタッチパネルディスプレイ１３０に表示する。画面４４０の中央には、可搬性記憶媒体ＩＦ部１１６の正面図（装着直前のＵＳＢメモリの斜視図を含む）が表示され、その両側にＵＳＢメモリの装着位置（ＵＳＢソケット）及び装着方向に関する説明が表示されている。ＵＳＢメモリを装着するＵＳＢソケットは、ユーザが容易に認識できるように、例えば赤色（図９において斜線で示す）で表示される。さらに、赤色の矢印４４２も表示されている。
【００５１】
ステップ３１２において、ＣＰＵ１０２は、ステップ３０６で選択された可搬性記憶媒体が装着されたか否かを判定する。ここでは、ＣＰＵ１０２は、ＵＳＢメモリが装着されたか否かを判定する。ＵＳＢメモリが装着されたか否かは、可搬性記憶媒体ＩＦ部１１６に配置されたＵＳＢソケットの特定の端子（例えば、データ伝送用の「＋Ｄａｔａ」端子又は「−Ｄａｔａ」端子）の電位を観測することで検知することができる。何も接続されていない状態のＵＳＢソケットの端子（即ち、開放状態の端子）は、ＵＳＢメモリのプラグの端子と接続されると、電位が変化する。該当する可搬性記憶媒体が装着されたと判定された場合、制御はステップ３１４に移行する。そうでなければ、ステップ３１２が繰返される。
【００５２】
図５のフローチャートには記載されていないが、可搬性記憶媒体が装着される前に「戻る」キー４４４がタッチされた場合、制御はステップ３０４に戻り、現在表示されている画面（画面４４０）が消去され、前の画面（ここでは画面４２０）が表示される。可搬性記憶媒体が装着される前に終了キー４２４がタッチされた場合の処理は、上記したとおりであるので重複説明を繰返さない。なお、ＣＰＵ１０２が定期的に、ＵＳＢソケットの端子の電位を観測する代わりに、電位が変化した場合にＣＰＵ１０２に対して割込みが発生するようにしてもよい。
【００５３】
ステップ３１４において、ＣＰＵ１０２は、装着された可搬性記憶媒体に含まれるファイルの中から、プリントするファイルを選択するための画面を、タッチパネルディスプレイ１３０に表示する。具体的には、ＣＰＵ１０２は、装着された可搬性記憶媒体と通信して、所定のディレクトリ（以下、フォルダともいう）に記憶されているファイルに関する情報（所定の拡張子を有するファイルの名前等）を取得して、例えば図１０に示す画面４６０のようにリスト表示する。最初にステップ３１４が実行されるときには、リスト表示の対象ディレクトリは、ディレクトリの階層構造のルートである。画面４６０において、領域４６２の最上部には、その下にリスト表示されているファイルが含まれているフォルダの名前が表示される（ここではルートが表示されている）。領域４６２には、そのフォルダ内に含まれるフォルダ（下位フォルダ）のフォルダ名（サンプル）、及びＰＤＦファイル（拡張子がｐｄｆ）のファイル名がリスト表示されている。
【００５４】
ステップ３１６において、ＣＰＵ１０２は、ファイルの選択が完了したか否かを判定する。完了したと判定された場合、制御はステップ３２０に移行する。そうでなければ、制御はステップ３１４に戻る。
【００５５】
ステップ３１４及びステップ３１６が繰返されることによって、ユーザは、可搬性記憶媒体に記憶されたファイルの中から所定のファイルをプリント処理の対象として指定することができる。図１０の画面４６０に表示されたファイル名の中から、プリント対象のファイルを選択する操作、及びその解除操作は、ファイル選択キー４７０及び選択解除キー４７２によって行なうことができる。即ち、領域４６２に表示されているファイル名がタッチされると、そのファイル名が反転表示（輝度反転）され、その状態で、ファイル選択キー４７０がタッチされると、選択されたファイル名を表示する領域４６６にそのファイル名が表示される。領域４６６に表示されているファイル名がタッチされた場合、そのファイル名が反転表示される。その状態で、選択解除キー４７２がタッチされると、領域４６６からそのファイル名が消去される。
【００５６】
リスト表示されるべきファイル名が多く、全てのファイル名を一度に表示できない場合には、領域４６４及び４６８に表示されたキーによって、リスト表示されたファイル名を上下にスクロールすることができる。
【００５７】
領域４６２に表示されているフォルダ名がタッチされると、そのフォルダ名が領域４６２の最上部に表示され、リスト表示の対象となるフォルダが、下位のフォルダに変更される。リスト表示の対象となるフォルダが変更されると、そのフォルダ内に含まれる下位フォルダの名前、及びＰＤＦファイルの名前がリスト表示される。一方、領域４７６に表示された「１つ上へ」キーは、ファイル名のリスト表示の対象となるフォルダを１つ上位のフォルダに変更するためのキーである。このようにして、ユーザは、可搬性記憶媒体の階層構造の任意のフォルダを指定して、その中に含まれるＰＤＦファイル名を表示させ、プリント対象のファイルを選択することができる。なお、リスト表示の対象フォルダが変更される度に、ＣＰＵ１０２は、可搬性記憶媒体から、表示に必要な情報を読出す。
【００５８】
領域４７６のリスト表示キー及びサムネイル表示キーは、ファイル名を表示する形態を、指定するためのキーである。図１０では、リスト表示キーが選択されている（反転表示されている）ので、ファイル名がリスト表示されている。サムネイル表示キーがタッチされると、ファイル名の代わりに、又は、ファイル名に加えて、各ファイルに対応するサムネイルが表示される。このとき、ＣＰＵ１０２は、各ＰＤＦファイルに含まれているサムネイルデータを読出して、表示してもよい。
【００５９】
このように、ステップ３１６においてＣＰＵ１０２は、これらの操作は、ファイル選択の完了と判定される操作ではないと判定し、制御はステップ３１４に戻り、ＣＰＵ１０２は、変更された画面（ファイル名が反転表示された画面、リスト表示するファイル名が変更された画面等）を生成して表示する。一方、少なくとも１つのファイルが選択された状態で、「次へ」キー４７４がタッチされた場合、ファイル選択が完了したと判定される。
【００６０】
なお、画面４６０において、「戻る」キー４４４がタッチされた場合、及び終了キー４２４がタッチされた場合の処理は、上記したとおりであるので重複説明を繰返さない。
【００６１】
ステップ３１８において、ＣＰＵ１０２は、ステップ３１４及びステップ３１６の処理により選択されたファイルを可搬性記憶媒体から、ＲＡＭ１０６又はＨＤＤ１０８に読出し、メディアの取外しを促す画面を表示する。例えば、図１１に示すような画面４８０が表示される。画面４８０の中央には、装着されている可搬性記憶媒体（具体的にはＵＳＢメモリ）が取外される状態を示す画像が表示され、画面４８０の左上部分にはユーザへのメッセージが表示されている。
【００６２】
ステップ３２０において、ＣＰＵ１０２は、装着されている可搬性記憶媒体が取外され、「次へ」キー４７４がタッチされたか否かを判定する。可搬性記憶媒体が取外され、且つ「次へ」キー４７４がタッチされたと判定された場合、制御はステップ３２２に移行する、そうでなければ、ステップ３２０が繰返される。ここでは、ＣＰＵ１０２は、ＵＳＢメモリが抜去されたか否かを判定する。ＵＳＢメモリの抜去の検知は、ＵＳＢソケットの所定の端子の電位変化を検知することで行なわれる。ＵＳＢメモリが抜去されずに、「次へ」キー４７４がタッチされただけでは、制御はステップ３２２に移行しない。ＵＳＢメモリが抜去されずに、「次へ」キー４７４がタッチされた場合には、ＵＳＢメモリを抜去する必要がある旨のメッセージを表示することが好ましい。
【００６３】
ステップ３２２において、ＣＰＵ１０２は、プリント条件を設定して実際にプリントするファイルを選択するための画面を、タッチパネルディスプレイ１３０に表示する。即ち、ＣＰＵ１０２は、ステップ３２０で読出したファイル名をプリント対象の候補としてリスト表示する。例えば、図１２に示すような画面５００が表示される。画面５００の領域５０２には、画面４６０（図１０参照）で選択された３つのファイルがリスト表示されている。領域５０４に表示されたキーの機能は、領域４６４及び領域４６８（図１０参照）の機能と同じである。
【００６４】
ステップ３２４において、ＣＰＵ１０２は、ファイル選択が完了したか否かを判定する。完了したと判定された場合、制御はステップ３２６に移行する。そうでなければ、制御はステップ３２２に戻る。
【００６５】
ステップ３２２及びステップ３２４が繰返されることによって、ユーザは、可搬性記憶媒体から読出したファイルの中から所定のファイルを、実際のプリント処理の対象として指定することができる。ユーザは、領域５０２に表示されたファイル名の中から最大１つのファイル名を選択可能である。領域５０２に表示されたファイル名がタッチされると、そのファイル名が反転表示（輝度反転）され、選択された状態となる。そのときに、タッチされたファイル名以外に反転表示されているファイル名があれば、そのファイル名は、通常表示に戻され、選択されていない状態となる。また、反転表示されているファイル名がタッチされると、そのファイル名は通常表示に戻され、選択されていない状態となる。
【００６６】
ステップ３２４においてＣＰＵ１０２は、これらの操作は、ファイル選択の完了と判定される操作ではないと判定し、制御はステップ３２２に戻り、ＣＰＵ１０２は、変更された画面（各ファイル名の表示状態が変更された画面）を生成して表示する。一方、１つのファイルが選択された状態で、「次へ」キー４７４がタッチされた場合、ファイル選択が完了したと判定される。なお、画面４６０において、領域４７６に表示されたリスト表示キー又はサムネイル表示キーの機能は、上記と同じである。終了キー４２４がタッチされた場合の処理も、上記と同じである。
【００６７】
ステップ３２６において、ＣＰＵ１０２は、プリント処理を実行する。具体的には、図６のステップ３４０において、ＣＰＵ１０２は、画像形成に使用する記録紙を選択するための画面を表示する。例えば、図１３に示すような画面５２０が表示される。
【００６８】
画面５２０の領域５２２には、写真プリントに適した光沢紙を選択するためのキーが表示されている。給紙部１２４に収容されている光沢紙は１種類（Ａ４サイズの光沢紙）であるので、光沢紙を選択するためのキーが１つだけ表示されている。複数の種類の光沢紙が収容されていれば、それぞれを選択するためのキーが表示される。領域５２４には、コピー用の普通紙を選択するためのキーが表示されている。給紙部１２４に収容されている普通紙は４種類（Ｂ５、Ａ４、Ｂ４、及びＡ３サイズ）であるので、それぞれを選択するためのキーが表示されている。これらの記録紙を選択するためのキーは、何れか１つのみが選択され得る。ここでは、Ａ４サイズの普通紙が選択されている（画面５２０において、対応するキーが反転表示されている）。
【００６９】
ステップ３４２において、ＣＰＵ１０２は、記録紙の選択画面（画面５２０）に対して操作があったか否かを判定する。具体的には、ＣＰＵ１０２は、画面５２０に表示されている何れかのキーがタッチされたか否かを判定する。タッチされたと判定された場合、制御はステップ３４４に移行する。そうでなければ、ステップ３４２が繰返される。
【００７０】
ステップ３４４において、ＣＰＵ１０２は、「次へ」キー４７４がタッチされたか否かを判定する。「次へ」キー４７４がタッチされたと判定された場合、制御はステップ３５２に移行する。そうでなければ、制御はステップ３４６に移行する。
【００７１】
ステップ３４６において、ＣＰＵ１０２は、終了キー４２４がタッチされたか否かを判定する。終了キー４２４がタッチされたと判定された場合、制御はステップ３００（図５参照）に戻る。そうでなければ、制御はステップ３４８に移行する。
【００７２】
ステップ３４８において、ＣＰＵ１０２は、「戻る」キー４４４がタッチされたか否かを判定する。「戻る」キー４４４がタッチされたと判定された場合、制御はステップ３２２（図５参照）に戻る。そうでなければ、制御はステップ３５０に移行する。
【００７３】
ステップ３５０において、ＣＰＵ１０２は、タッチされたキーに対応する処理を実行する。その後、制御はステップ３４２に戻る。ステップ３５０は、領域５２２及び領域５２４に表示されたキーの何れかがタッチされた場合に実行される。したがって、ＣＰＵ１０２は、反転表示されていたキーが通常表示され、タッチされたキーが反転表示された画面を生成して、タッチパネルディスプレイ１３０に表示する。ＣＰＵ１０２は、選択されている記録紙を特定する情報（反転表示されているキーを特定する情報）を、例えばＲＡＭ１０６に記憶する。
【００７４】
ステップ３５２において、ＣＰＵ１０２は、画像形成条件を設定するための画面を表示する。例えば、図１４に示すような画面５４０が表示される。
【００７５】
画面５４０において、領域５４２には、プリント対象として選択されているファイル、及び選択されている記録紙に関する情報が表示されている。画面５４０の左端には、選択されているファイルに含まれる１ページ目のプレビュー画像５４４が表示されている。領域５４６には、カラーモード（フルカラー又は白黒モード）を選択するためのキーが表示されている。図１４では、反転表示されているキーに対応するフルカラーモードが選択されている。領域５４６には、記録紙上に印刷されるページのレイアウトに関する情報、及び、その設定を変更するためのキー５５４も表示されている。領域５４８には、現在設定されている記録紙の種類（Ａ４）、プリント枚数（５枚）、及びプリント部数（１セット）と、対応するプリント料金とが表示される。領域５５０に表示されている「＋」キー及び「−」キーは、現在のセット数を増減するためのキーである（領域５５０の中央に表示されているセット数も増減する）。キー５５２は、プリントするページを指定するためのキーである。デフォルトでは、プリント対象のページは、ファイルの全ページである。プリント開始キー５５６は、プリントの実行を指示するためのキーである。なお、現在の画像形成条件はＲＡＭ１０６に記憶されており、操作によって変更される度に、ＲＡＭ１０６上の該当する情報が変更される。
【００７６】
ステップ３５４において、ＣＰＵ１０２は、プリント開始キー５５６がタッチされたか否かを判定する。プリント開始キー５５６がタッチされたと判定された場合、制御はステップ３６２に移行する。そうでなければ、制御はステップ３５６に移行する。
【００７７】
ステップ３５６において、ＣＰＵ１０２は、終了キー４２４がタッチされたか否かを判定する。終了キー４２４がタッチされたと判定された場合、制御はステップ３００（図５参照）に戻る。そうでなければ、制御はステップ３５８に移行する。
【００７８】
ステップ３５８において、ＣＰＵ１０２は、「戻る」キー４４４がタッチされたか否かを判定する。「戻る」キー４４４がタッチされたと判定された場合、制御はステップ３４０に戻る（記録紙の選択画面５２０が表示される）。そうでなければ、制御はステップ３６０に移行する。
【００７９】
ステップ３６０において、ＣＰＵ１０２は、画面５４０に対する操作に応じた処理を実行する。例えば、検出された操作（ステップ３５４）が、カラーモードを設定するための２つのキーの何れかをタッチする操作であれば、ＣＰＵ１０２は、タッチされたキーを反転表示し、残りのキーを通常表示した画面（画像データ）を生成して、タッチパネルディスプレイ１３０に表示する。ＣＰＵ１０２は、ＲＡＭ１０６に記憶されたカラーモードの選択情報を更新する。検出された操作が「＋」キー又は「−」キーをタッチする操作であれば、ＣＰＵ１０２は、セット数を増減した画面を生成して、タッチパネルディスプレイ１３０に表示する。ＣＰＵ１０２は、ＲＡＭ１０６に記憶されたセット数も増減する。検出された操作がキー５５２又はキー５５４をタッチする操作であれば、ＣＰＵ１０２は、以下に示す処理を実行する。
【００８０】
図７を参照して、キー５５２（図１４参照）がタッチされた場合、ステップ３８０において、ＣＰＵ１０２は、プリントするページを設定するための画面をタッチパネルディスプレイ１３０に表示する。例えば、図１５に示す画面５６０が表示される。
【００８１】
画面５６０において、領域５６２の中央に、１ページのプレビュー画像５６４が中央に表示されている。プレビュー画像５６４の両側の領域５６６及び領域５６８に表示されているキーは、プレビュー表示の対象ページを変更するためのキー（表示されているページの１ページだけ前のページ又は後ろのページに変更するためのキー、最初又は最後のページに変更するためのキー）である。キー５７４は、プレビュー表示されているページを、プリント対象の最初のページに設定するためのキーである。キー５７６は、プレビュー表示されているページだけを、プリント対象に設定するためのキーである。キー５７８は、プレビュー表示されているページを、プリント対象の最後のページに設定するためのキーである。領域５７０には、現在表示されているプレビュー画像５６４の、全ページ中の位置（全５ページ中の１ページ目）が示されている。領域５７２には、設定されているプリント対象の最初のページ及び最後のページの情報が表示されている。現在、１ページ目から５ページ目までがプリント対象として設定されている。
【００８２】
ＯＫキー５８０は、設定された条件を確定して、図１４の画像形成条件の設定画面５４０に戻るためのキーである。「戻る」キー４４４は、ＯＫキー５８０と同じ機能のキーである。
【００８３】
ステップ３８２において、ＣＰＵ１０２は、ＯＫキー５８０又は「戻る」キー４４４がタッチされたか否かを判定する。ＯＫキー５８０又は「戻る」キー４４４がタッチされたと判定された場合、ＣＰＵ１０２は、図１４の画像形成条件の設定画面５４０をタッチパネルディスプレイ１３０に表示し、制御はステップ３５４に移行する。そうでなければ、制御はステップ３８４に移行する。
【００８４】
ステップ３８４において、ＣＰＵ１０２は、終了キー４２４がタッチされたか否かを判定する。終了キー４２４がタッチされたと判定された場合、制御はステップ３００（図５参照）に戻る。そうでなければ、制御はステップ３８６に移行する。
【００８５】
ステップ３８６において、ＣＰＵ１０２は、画面５６０に対する操作に応じた処理を実行する。例えば、検出された操作（ステップ３８２）が、プレビュー表示の対象ページを変更するためのキーをタッチする操作であれば、ＣＰＵ１０２は、該当するページをプレビュー表示した画面を生成して、タッチパネルディスプレイ１３０に表示する。キー５７４をタッチする操作であれば、ＣＰＵ１０２は、プレビュー表示されているページをプリント対象の最初のページに設定した画面（領域５７２中の表示が変更された画面）を生成して、タッチパネルディスプレイ１３０に表示する。キー５７６又はキー５７８がタッチされた場合にも、同様に、対応する画面（領域５７２中の表示が変更された画面）を生成して、タッチパネルディスプレイ１３０に表示する。
【００８６】
キー５５４（図１４参照）がタッチされた場合、表示される画面は画面５６０とは異なるが、基本的な処理は、キー５５２（図１４参照）がタッチされた場合の処理と同様であり、図７のフローチャートで表される。
【００８７】
図７を参照して、キー５５４（図１４参照）がタッチされた場合、ステップ３８０において、ＣＰＵ１０２は、記録紙上のページレイアウトを設定するための画面をタッチパネルディスプレイ１３０に表示する。例えば、図１６に示す画面６００が表示される。
【００８８】
画面６００において、領域６０２には、図１４の領域５４２に表示される情報に加えて、現在のカラーモードの設定が表示される。領域６０６には、両面印刷に関する設定をするためのキーが表示される。領域６０８には、２ページを１枚の記録紙に印刷するか否かを設定するためのキーが表示される。現在の設定は、反転表示されたキーによって表される。ユーザはこれらのキーにタッチして、設定を変更することができる。領域６０４には、現在のページレイアウトにしたがった仕上がりイメージが表示される。領域５４８の表示内容、並びに「＋」キー及び「−」キーの操作は図１４と同じである。なお、現在の画像形成条件はＲＡＭ１０６に記憶されており、操作によって変更される度に、ＲＡＭ１０６上の該当する情報が変更される。
【００８９】
ステップ３８２において、ＣＰＵ１０２は、上記したように、ＯＫキー５８０又は「戻る」キー４４４がタッチされたか否かを判定し、判定結果に応じて制御を分岐させる。
【００９０】
ステップ３８４において、ＣＰＵ１０２は、上記したように、終了キー４２４がタッチされたか否かを判定し、判定結果に応じて制御を分岐させる。
【００９１】
ステップ３８６において、ＣＰＵ１０２は、上記と同様に、画面操作に応じた処理を実行する。但し、操作対象の画面は、画面５６０ではなく画面６００であるので、具体的な処理内容は上記とは異なる。例えば、検出された操作（ステップ３８２）が、領域６０６及び領域６０８に表示されたキーをタッチする操作であれば、ＣＰＵ１０２は、タッチ操作に応じてキーを表示（通常表示又は反転表示）した画面を生成して、タッチパネルディスプレイ１３０に表示する。
【００９２】
以上のように、図６のステップ３４０〜ステップ３６０、及び図７のステップ３８０〜ステップ３８６によって記録紙の条件（記録紙の種類）及び画像形成の条件（これらの条件をまとめて「プリント条件」ともいう）の設定が完了し、プリント開始キー５５６がタッチされた場合、ステップ３６２（図６）において、ＣＰＵ１０２は、プリントの確認画面をタッチパネルディスプレイ１３０に表示する。例えば、図１７に示す部分画面６２０が表示される。
【００９３】
部分画面６２０には、「はい」キー６２２及び「いいえ」キー６２４が表示されている。部分画面６２０は、表示中の画面に重畳されて表示される。図１７では、部分画面６２０の背景に図１４の画面５４０が表示されている。
【００９４】
ステップ３６４において、ＣＰＵ１０２は、「はい」キー６２２がタッチされたか否かを判定する。「はい」キー６２２がタッチされたと判定された場合、制御はステップ３６６に移行する。そうでなければ（「いいえ」キー６２４がタッチされた場合）、ＣＰＵ１０２は部分画面６２０を消去し、制御はステップ３５２に戻り、画面５４０が再度表示される。その後、ステップ３５４以降の処理が実行される。
【００９５】
ステップ３６６において、ＣＰＵ１０２は、プリント中であることを示す画面をタッチパネルディスプレイ１３０に表示する。その後、制御は図５のステップ３２８に移行する。
【００９６】
ステップ３２８において、ＣＰＵ１０２は、印刷が完了したか否かを判定する。印刷が完了したと判定された場合、ＣＰＵ１０２は、基本画面４００（図３参照）をタッチパネルディスプレイ１３０に表示し、その後、制御はステップ３００に戻る。そうでなければ、ステップ３２８が繰返される。
【００９７】
以上、図５〜図７に示した一連の処理により、画像形成装置１００は、ユーザが可搬性記憶媒体１９０を画像形成装置１００に装着し、プリントしたいファイルを選択すれば、直ちに選択されたファイルを読出した後、ユーザが可搬性記憶媒体１９０を取外すことができるようにする。プリント条件（記録紙の条件及び画像形成の条件）の設定は、可搬性記憶媒体が取出された後に可能になるので、ユーザは可搬性記憶媒体の取外しを忘れることがない。選択されたファイルが読出された後、プリント条件の設定前に、ユーザが可搬性記憶媒体を取外すことが可能になるので、可搬性記憶媒体が画像形成装置１００に装着される時間を短縮することができる。また、プリント条件の設定は、可搬性記憶媒体を取外した状態で行なうことができるので、ユーザは、可搬性記憶媒体に記憶されたデータが意図せずに変更（書換又は消去）されることを心配することなく、安心して、画像形成装置１００を操作することができる。
【００９８】
上記では、可搬性記憶媒体１９０としてＵＳＢメモリが装着される場合を説明したが、これに限定されない。ＳＤカード等の可搬性メモリであってもよい。その場合にも、可搬性メモリの特定の接続端子の電位を観測することによって、可搬性メモリの可搬性記憶媒体ＩＦ部１１６への着脱を検知することができる。可搬性記憶媒体として、ＣＤ−Ｒ又はＤＶＤ等が装着される場合、光ディスクの着脱の検知は、トレイの状態（排出された状態又は収容された状態）、又はトレイの取出しボタンの押下等を検知することによって行なうことができる。図８のメディア選択画面４２０において「ＣＤ−Ｒ／ＤＶＤ」キーが選択された場合には、トレイの排出ボタンが押されるのを待受けても、自動的にトレイを排出してもよい。なお、メディアの装着を促す画面４４０、及びメディアの取外しを促す画面４８０は、可搬性記憶媒体に応じて（画面４２０においてタッチされたキーに応じて）変更される。
【００９９】
可搬性記憶媒体１９０は、図８にキーとして示された可搬性メモリ及び光ディスクに限定されない。可搬性記憶媒体１９０は、可搬性記憶媒体ＩＦ部１１６に装着され、データが読出される可搬性の記憶媒体であればよい。
【０１００】
上記では、印刷可能なファイルがＰＤＦファイルである場合を説明したが、これに限定されない。ＭＳ−Ｗｏｒｄファイル、ＭＳ−ＰｏｗｅｒＰｏｉｎｔファイル、又は、ＪＰＥＧ形式等の画像ファイル等であってもよい。画像形成装置１００は、ファイルの種類に応じて、ファイルからページ単位の画像を生成するためのプリンタドライバを備えていればよい。
【０１０１】
上記では、選択されたファイルの読出しが完了すれば、メディア（可搬性記憶媒体）が取出された後、図１１の画面４８０において、ユーザが「次へ」キー４７４にタッチして、次の処理の実行を指示する場合を説明したが、これに限定されない。メディアが取出されたことが検知されると、ＣＰＵ１０２は、ユーザによる指示（画面４８０におけるキー操作）を待たずに、速やかに次の処理（例えば、図１２の画面５００の表示）を実行してもよい。即ち、図１１の画面４８０において「次へ」キー４７４は表示されなくてもよい。
【０１０２】
また、図５〜図７に示したフローチャート、及び図８〜図１７に示した画面は、種々変更され得る。例えば、給紙部１２４に収容される記録紙の種類が異なれば、記録紙の選択画面（図１３の画面５２０）に表示されるキーは、それに応じて変更される。また、図１４の画面５４０では、便利な機能として、両面印刷の機能、及び２ページを１枚の記録紙に印刷する機能を説明したが、３ページ以上を１枚の記録紙に印刷する機能を選択できるようにしてもよい。
【０１０３】
上記では、印刷が完了すれば（図５のステップ３２８）基本画面４００が表示される場合を説明したが、これに限定されない。印刷が完了した場合、読出したファイルの中から再度ファイルを選択して、プリントを実行できるようにしてもよい。例えば、ステップ３２８で印刷が完了したと判定された場合、ＣＰＵ１０２は、図１８に示した画面６４０を表示してもよい。「終了する」キー６４４がタッチされた場合、上記したように、基本画面４００が表示され、制御はステップ３００に戻る。「続けてプリントする」キー６４２がタッチされた場合には、制御はステップ３２２に戻り、ＣＰＵ１０２は、プリント条件を設定して実際にプリントするファイルの選択画面（図１２の画面５００）を表示する。このようにすることによって、ユーザは、可搬性記憶媒体を画像形成装置１００に再度装着することなく、画像形成装置１００に既に読込まれた別のファイルを選択してプリントを実行することができる。
【０１０４】
上記では、キー５５２又はキー５５４がタッチされて表示される画面（画面５６０又は画面６００）から直接プリントを指示することができない場合を説明したが、これに限定されない。画面５６０（図１５）及び画面６００（図１６）において、ＯＫキーの代わりにプリント開始キーが表示されてもよい。図１９の画面６６０は、画面６００（図１６）において、ＯＫキーの代わりにプリント開始キーが表示された画面である。
【０１０５】
この場合、図７のフローチャートは、例えば図２０のように変更される。図２０において、図７と同じ参照番号のステップの処理は、上記した処理と同じであるので、重複説明は繰返さない。図２０が、図７と異なるのは、図７のステップ３８２が、ステップ３９２及びステップ３９２に置換えられている点だけである。
【０１０６】
図２０を参照して、キー５５４（図１４参照）がタッチされた場合、ステップ３８０において、ＣＰＵ１０２は、記録紙上のページレイアウトを設定するための画面（図１９の画面６００）を表示する。
【０１０７】
ステップ３９０において、ＣＰＵ１０２は、プリント開始キー５５６がタッチされたか否かを判定する。プリント開始キー５５６がタッチされたと判定された場合、制御はステップ３６２（図６参照）に移行する。そうでなければ、制御はステップ３９２に移行する。
【０１０８】
ステップ３９２において、ＣＰＵ１０２は、「戻る」キー４４４がタッチされたか否かを判定する。「戻る」キー４４４がタッチされたと判定された場合、ＣＰＵ１０２は、図１４の画像形成条件の設定画面５４０をタッチパネルディスプレイ１３０に表示し、制御はステップ３５４（図６参照）に移行する。そうでなければ、制御はステップ３８４に移行する。
【０１０９】
以上によって、ユーザは、記録紙上のページレイアウトを設定するための画面（画面６６０）から、画面５４０に戻ることなく、直接プリントを指示することができる。印刷ページの設定画面（図１５の画面５６０）においても、ＯＫキーの代わりにプリント開始キーを表示すれば、画面５４０に戻ることなく、直接プリントを指示することができる。
【０１１０】
なお、画面６６０においてプリント開始キー５５６がタッチされた場合に実行されるステップ３６２において表示される部分画面は、画面６６０に重畳して表示される。したがって、部分画面において「いいえ」キーがタッチされ、部分画面が消去された場合、制御は、図２０のステップ３８０に戻り、画面６６０が再度表示される。
【０１１１】
上記では、図１２の画面５００で選択されたファイル毎に、プリント条件（記録紙の条件及び画像形成の条件）を設定してプリントする場合を説明したが、これに限定されない。複数のファイルに共通するプリント条件を設定するようにしてもよい。例えば、図１２の画面５００で複数のファイルが選択された場合に、ファイル毎にプリント条件を設定するか、又は、共通のプリント条件を設定するかを選択するための画面を表示して、ユーザが何れかを選択できるようにしてもよい。複数のファイルの選択は、例えば、図５のステップ３２２及びステップ３２４において、タッチされたファイル名に対してのみ反転表示と通常表示とを切換えるようにし、タッチされていないファイル名は表示状態（即ち選択状態又は非選択状態）を維持するようにすればよい。
【０１１２】
プリント条件の設定の処理は、上記と同様に、図１３〜図１６に示した画面を表示して、行なうことができる。複数のファイルに対して共通のプリント条件を設定する場合には、例えば、図１４の領域５４２に、対象とする複数のファイル名を表示するようにすればよい。共通のプリント条件が設定された場合には、プリント開始キーがタッチされると、複数のファイルの印刷が実行される。
上記では、プリントサービスキーに関して説明したが、これに限定されない。写真サービスキー４１８がタッチされた場合にも、上記したプリントサービスと同様の問題があり、上記と同様に対応することができる。即ち、画像形成装置１００は、装着された可搬性記憶媒体から画像ファイルを読出した後、可搬性記憶媒体が取外された状態で、写真プリント条件の設定を受付け、設定された条件にしたがって写真プリントを実行する。
【０１１３】
また、ファクスキー４１４がタッチされた場合にも、同様である。即ち、画像形成装置１００は、装着された可搬性記憶媒体からＦＡＸ送信するファイルを読出した後、可搬性記憶媒体が取外された状態で、ＦＡＸ送信の条件（宛先のＦＡＸ番号、及び送信データの画質等）の設定を受付け、設定された条件にしたがってＦＡＸ送信を実行する。
【０１１４】
図３には表示されていないが、電子メール送信するためのキー、又は、サーバにファイル送信するためのキーが、基本画面４００に表示されてもよい。これらのキーがタッチされた場合、画像形成装置１００は、装着された可搬性記憶媒体から送信するファイルを読出した後、送信条件（宛先の電子メールアドレス、又は、送信先のサーバ及び当該サーバのＨＤＤ内のディレクトリを特定する情報）の設定を受付け、設定された条件にしたがって、指定されたファイルを電子メールに添付して送信、又は、指定されたファイルを直接（ＦＴＰ等により）送信する。なお、送信先のサーバを特定する情報は、例えばＩＰアドレスである。サーバのＨＤＤ内のディレクトリを特定する情報は不可欠ではない。例えば、サーバ側で、外部からのアクセスを受付ける所定のディレクトリを、仮想パスのルートディレクトリに設定しておけば、画像形成装置１００は、サーバのＩＰアドレスの情報さえ分かれば、ディレクトリを特定する情報を含まずにサーバに画像データを送信して、仮想パスのルートディレクトリに保存することができる。
【０１１５】
課金が必要な場合には、図１３において記録紙を選択するためのキーに表示されているように、指定された記録紙の種類に応じた１枚当たりの単価と、画像形成条件（両面印刷の有無、複数ページを１枚の記録紙に印刷する集約印刷の有無、カラーモード等）とを考慮して、計算すればよい（図１３及び図１４参照）。
【０１１６】
上記では、コンビニエンスストア等に設置された画像形成装置に関して説明したが、これに限定されない。企業のオフィス等に設置された画像形成装置であってもよい。
【０１１７】
以上、実施の形態を説明することにより本発明を説明したが、上記した実施の形態は例示であって、本発明は上記した実施の形態に限定されるものではなく、種々変更して実施することができる。
【符号の説明】
【０１１８】
１００    画像形成装置
１０２    ＣＰＵ
１０４    ＲＯＭ
１０６    ＲＡＭ
１０８    ＨＤＤ
１１０    原稿読取部
１１２    画像形成部
１１４    操作部
１１６    可搬性記憶媒体ＩＦ部
１１８    電話回線ＩＦ部
１２０    ネットワークＩＦ部
１２２    バス
１２４    給紙部
１２６    排紙トレイ
１３０    タッチパネルディスプレイ
【図１】
2014019150.tif 000003
【図２】
2014019150.tif 000004
【図３】
2014019150.tif 000005
【図４】
2014019150.tif 000006
【図５】
2014019150.tif 000007
【図６】
2014019150.tif 000008
【図７】
2014019150.tif 000009
【図８】
2014019150.tif 000010
【図９】
2014019150.tif 000011
【図１０】
2014019150.tif 000012
【図１１】
2014019150.tif 000013
【図１２】
2014019150.tif 000014
【図１３】
2014019150.tif 000015
【図１４】
2014019150.tif 000016
【図１５】
2014019150.tif 000017
【図１６】
2014019150.tif 000018
【図１７】
2014019150.tif 000019
【図１８】
2014019150.tif 000020
【図１９】
2014019150.tif 000021
【図２０】
2014019150.tif 000022